(57)【特許請求の範囲】
【請求項１】
対向する第１および第２の側を有する長尺シート媒体を供給する第１の媒体源と、
プレカットシート媒体を供給する第２の媒体源と、
前記長尺シート媒体の長手方向に沿って配置され、前記プレカットシート媒体を前記第２の媒体源から受け取り、当該プレカットシート媒体を前記長尺シート媒体の前記第１の側に沿って互いに長さ方向に間隔が開けられた関係で位置決めするように構成される合流ユニットと、
前記長尺シート媒体の前記長手方向に沿って配置され、前記プレカットシート媒体および前記長尺シート媒体の上に画像をマークし、マークされたプレカットシート媒体および長尺シート媒体のマークされた部分とマークされていない部分とを生成するように構成されるマーキングユニットと、
前記長尺シート媒体の前記長手方向に沿って配置され、マークされた前記プレカットシート媒体を前記長尺シート媒体から分離し、前記長尺シート媒体のマークされていない部分を露出するように構成される分離ユニットと、
前記長尺シート媒体の前記長手方向に沿って配置され、マークされたシート媒体が前記長尺シート媒体のマークされた部分から形成され、マークされていないシート媒体が前記長尺シート媒体のマークされていない部分から形成されるように、前記長尺シート媒体を個別のシート媒体に切断する裁断ユニットと、
前記裁断ユニットから少なくとも前記マークされたシート媒体を、前記分離ユニットから前記マークされたプレカットシート媒体を受け取るように構成されるシート収集ユニットと、
を備えるプリンティングシステム。
【請求項２】
請求項１に記載のプリンティングシステムにおいて、
前記シート収集ユニットは、媒体運搬経路と収集トレイとを含み、
前記媒体運搬経路は、第１および第２の経路入口と経路出口を含み、
前記第１の経路入口は、前記裁断ユニットに機能的に接続され、
前記第２の経路入口は、前記分離ユニットに機能的に接続され、
前記経路出口は、前記収集トレイと機能的に連絡して配置され、
前記裁断ユニットからの前記マークされたシート媒体と、前記分離ユニットからの前記マークされたプレカットシート媒体が逐次的に前記収集トレイに出力可能となるプリンティングシステム。
【請求項３】
請求項２に記載のプリンティングシステムにおいて、
前記分離ユニットと前記シート収集ユニットの間に機能的に配置されたシートバッファをさらに含み、
前記シートバッファは、前記マークされたプレカットシート媒体を前記分離ユニットから受け取り、かつ前記裁断ユニットからの前記マークされたシート媒体とともに綴じ込むために、前記シート収集ユニットに対して前記マークされたプレカットシート媒体を解放するまで前記マークされたプレカットシート媒体を保持するように構成されるプリンティングシステム。
【請求項４】
請求項１に記載のプリンティングシステムにおいて、
前記マーキングユニットは、第１のマーキングユニットであり、
前記長尺シート媒体の前記長手方向に沿って配置され、少なくとも前記長尺シート媒体の前記第２の側に沿って画像をマークするように構成された第２のマーキングユニットをさらに含むプリンティングシステム。
【請求項５】
請求項４に記載のプリンティングシステムにおいて、
前記長尺シート媒体の前記第１および前記第２の側を反転させるように構成された第１の媒体反転ユニットを含むプリンティングシステム。
【請求項６】
請求項５に記載のプリンティングシステムにおいて、
前記プレカットシート媒体の第１および第２の側を反転させるように構成された第２の媒体反転ユニットを含むプリンティングシステム。
【請求項７】
請求項６に記載のプリンティングシステムにおいて、
前記合流ユニットは、第１の合流ユニットであり、
前記長尺シート媒体の前記長手方向に沿って配置された第２の合流ユニットをさらに含み、
前記第２の合流ユニットは、前記反転されたプレカットシート媒体を前記第２の媒体反転ユニットから受け取ると共に、前記第２のマーキングユニットにより前記反転されたプレカットシート媒体および前記長尺シート媒体の前記第２の側に画像をマークできるように前記反転されたプレカットシート媒体を前記長尺シート媒体の前記第２の側に沿って位置決めするように構成されるプリンティングシステム。
【請求項８】
プリンティングシステムであって、
長尺シート媒体を繰り出すように機能する連続シート媒体源と、
プレカットシート媒体を繰り出すように構成されたカットシート媒体源と、
前記長尺シート媒体および前記プレカットシート媒体の上にマークされる画像を生成するように構成されたマーキングユニットと、
カットシート媒体を受け取るように構成されたシート媒体収集ユニットと、
前記連続シート媒体源と、前記シート媒体収集ユニットと、前記マーキングユニットと、前記カットシート媒体源とを機能的に接続する運搬経路であって、
前記連続シート媒体源と前記マーキングユニットの間に機能的に配置された合流部分であって、プレカットシート媒体を受け取り、前記長尺シート媒体に沿って、前記プレカットシート媒体を機能的な関係で前記長尺シート媒体とともに前記マーキングユニットに沿って搬送できるように選択的に位置決めするように構成された合流部分と、
前記マーキングユニットと前記シート媒体収集ユニットの間に機能的に配置された分離器部分であって、前記プレカットシート媒体を前記長尺シート媒体から分離するように構成された分離器部分と、
を含む運搬経路と、
を備えるプリンティングシステム。
【請求項９】
複数シートドキュメントをプリントする方法であって、
（ａ）長尺シート媒体と、ある量のプレカットシート媒体とを提供すること、
（ｂ）前記ある量のプレカットシート媒体のうちの１つまたは複数を前記長尺シート媒体に沿って位置決めすること、
（ｃ）前記長尺シート媒体を前記プレカットシート媒体とともにプリンティングシステムを通して移動させ、それによってマークされたプレカットシート媒体と前記長尺シート媒体のマークされた部分を生成すること、
（ｄ）前記マークされたプレカットシート媒体を前記長尺シート媒体から分離すること、
（ｅ）前記長尺シート媒体の少なくとも前記マークされた部分をマークされた媒体の個別のシートに裁断すること、および
（ｆ）前記マークされたプレカットシート媒体と前記マークされた媒体の個別のシートとを複数シートドキュメントに収集すること、
を含む方法。
【請求項１０】
請求項９に記載の方法であって、
前記（ｆ）内の収集する動作は、前記マークされたプレカットシート媒体と前記マークされた媒体の個別のシートとをあらかじめ定められた順序で綴じ込むことを含む、方法。
【発明の詳細な説明】
【技術分野】
【０００１】
本開示は、広く、プレカットシート媒体とともに、伸延された長尺シート媒体上にマーキングすることが可能なプリンティングシステムおよびそれを使用する方法に関する。
【背景技術】
【０００２】
連続する長尺シート材料を使用するプリンティングシステムは周知であり、より大量のプリントジョブの生産のために一般に使用されている。その種のシステムとしての従来の連続供給プリンティングシステムは、一般にバルクロール形式で提供される伸延された長尺シート媒体によって供給される。その種のプリンティングシステムを使用する１つの利益は、プレカットシート媒体の頻繁な補給が回避されることである。したがって、その種の連続供給プリンティングシステムは、生産のために一度セットアップされた後は、長い時間期間にわたって動作を継続することが可能であり、生産性の増加および生産コストの削減を助けることができる。
【０００３】
しかしながらいくつかの場合においては、ドキュメントが、プリンティングシステムに供給されている連続する長尺シート媒体のそれとは異なる性質および／または特性を有するシート媒体上にプリントされる１つまたは複数のページを要求することがある。ドキュメントの少なくとも一部が別々のプリンティングシステム上および／または別々の時間にプリントされることとなるそれらの状況は、しばしば生産費用および／またはドキュメントの生産のためのリードタイムを望ましくないまでに増加し得る。したがって、上記および／または別の問題を克服する、伸延された長尺シート媒体とともにプレカットシート媒体上にマーキングすることが可能なプリンティングシステムおよびそれを使用する方法を開発することが望ましいと考えられる。
【発明の概要】
【課題を解決するための手段】
【０００４】
プリンティングシステムが、対向する第１および第２の表面を有する長さ方向に延びる長尺シート媒体を供給する第１の媒体源を含む。プリンティングシステムはまた、プレカットシート媒体を供給する第２の媒体源と、長尺シート媒体に沿って機能的に配置された合流ユニットとを含む。合流ユニットは、プレカットシート媒体を第２の媒体源から受け取り、かつ当該プレカットシート媒体を、長尺シート媒体の第１の側に沿って互いに長さ方向に間隔が開けられた関係で位置決めするように構成される。マーキングユニットが長尺シート媒体に沿って機能的に配置され、プレカットシート媒体をはじめ、長尺シート媒体の上に画像をマークし、それによってマークされたプレカットシート媒体をはじめ、長尺シート媒体のマークされた部分とマークされていない部分、すなわちマークされたプレカットシート媒体の下に広がる部分となるマークされていない部分とを生成するように構成される。分離ユニットが長尺シート媒体に沿って機能的に配置され、マークされたプレカットシート媒体を長尺シート媒体から分離し、それによって長尺シート媒体のマークされていない部分を露出するように構成される。裁断ユニットが長尺シート媒体に沿って機能的に配置される。裁断ユニットは、マークされたシート媒体が長尺シート媒体のマークされた部分から形成され、かつマークされていないシート媒体が長尺シート媒体のマークされていない部分から形成されるように長尺シート媒体を個別のシート媒体に切断する機能をもたらす。シート収集ユニットが、裁断ユニットから少なくともマークされたシート媒体を、分離ユニットからマークされたプレカットシート媒体を受け取るように構成される。
【０００５】
手前の段落に従ったプリンティングシステムにおけるシート収集ユニットは第１のシート収集ユニットであり、さらにプリンティングシステムは、マークされていないシート媒体を裁断ユニットから受け取るように構成された第２の収集ユニットを包含する。
【０００６】
手前の２つの段落のいずれかに従ったプリンティングシステムにおいて、前記シート収集ユニットは媒体運搬経路と収集トレイとを含み、前記媒体運搬経路は第１および第２の経路入口と経路出口を含み、前記第１の経路入口は前記裁断ユニットに機能的に接続され、前記第２の経路入口は前記分離ユニットに機能的に接続され、前記経路出口は前記収集トレイと機能的に連絡して配置され、その結果、前記裁断ユニットからの前記マークされたシート媒体と、前記分離ユニットからの前記マークされたプレカットシート媒体が逐次的に前記収集トレイに出力されることが可能になる。
【０００７】
手前の段落に従ったプリンティングシステムは、さらに、前記分離ユニットと前記シート収集ユニットの間に機能的に配置されたシートバッファを包含し、前記シートバッファは、前記マークされたプレカットシート媒体を前記分離ユニットから受け取り、かつ前記裁断ユニットからの前記マークされたシート媒体とともに綴じ込むために、前記シート収集ユニットに対して前記マークされたプレカットシート媒体を解放するまで前記マークされたプレカットシート媒体を保持するように構成される。
【０００８】
手前の４つの段落のいずれかに従ったプリンティングシステムにおいて、前記マーキングユニットは、インクジェットマーキングユニットと電子写真式マーキングユニットのうちの１つである。
【０００９】
手前の５つの段落のいずれかに従ったプリンティングシステムにおいて、前記マーキングユニットは第１のマーキングユニットであり、前記プリンティングシステムはさらに、前記長尺シート媒体に沿って機能的に配置され、かつ少なくとも前記長尺シート媒体の前記第２の側に沿って画像をマークするように構成された第２のマーキングユニットを包含する。
【００１０】
手前の段落に従ったプリンティングシステムは、さらに、前記長尺シート媒体と機能的に関連付けされ、かつそれの前記第１および第２の側を反転させるように構成された第１の媒体反転ユニットを包含する。
【００１１】
手前の段落に従ったプリンティングシステムは、さらに、前記分離ユニットと機能的に連絡し、かつ前記プレカットシート媒体の第１および第２の側を反転させるように構成された第２の媒体反転ユニットを包含する。
【００１２】
手前の段落に従ったプリンティングシステムにおいて、前記合流ユニットは第１の合流ユニットであり、前記プリンティングシステムはさらに、前記長尺シート媒体に沿って機能的に配置された第２の合流ユニットを包含し、前記第２の合流ユニットは前記反転されたプレカットシート媒体を前記第２の媒体反転ユニットから受け取り、かつ前記第２の合流ユニットは、前記第２のマーキングユニットが前記反転されたプレカットシート媒体に沿って、かつ前記長尺シート媒体の前記第２の側に沿って画像をマークできるように前記反転されたプレカットシート媒体を前記長尺シート媒体の前記第２の側に沿って位置決めするように構成される。
【００１３】
手前の段落に従ったプリンティングシステムにおいて、前記分離ユニットは第１の分離ユニットであり、前記プリンティングシステムはさらに、前記長尺シート媒体に沿って機能的に配置された第２の分離ユニットを包含し、前記第２の分離ユニットは、前記反転され、マークされたプレカットシート媒体を前記長尺シート媒体の前記第２の側から分離するように構成される。
【００１４】
プリンティングシステムが、長尺シート媒体を繰り出す機能をもたらす連続シート媒体源と、プレカットシート媒体を繰り出すように構成されたカットシート媒体源とを含む。マーキングユニットが、長尺シート媒体とプレカットシート媒体の上にマークされる画像を生成するように構成され、シート媒体収集ユニットが、カットシート媒体を受け取るように構成される。運搬経路が、連続シート媒体源と、シート媒体収集ユニットと、マーキングユニットと、カットシート媒体源とを機能的に接続する。運搬経路は、連続シート媒体源とマーキングユニットの間に機能的に配置された合流部分を含む。合流部分は、プレカットシート媒体を受け取り、プレカットシート媒体を長尺シート媒体とともにマーキングユニットに沿って機能的な関係で搬送できるように長尺シート媒体に沿って選択的に位置決めするように構成される。マーキングユニットとシート媒体収集ユニットの間に分離器部分が機能的に配置される。分離器部分は、プレカットシート媒体を長尺シート媒体から分離するように構成される。
【００１５】
手前の段落に従ったプリンティングシステムは、さらに、マーキングユニットとシート媒体収集ユニットの間に機能的に配置された裁断ユニットを包含し、当該裁断ユニットは、長尺シート媒体をカットシート媒体に分離するように構成される。
【００１６】
手前の２つの段落のうちのいずれかに従ったプリンティングシステムにおいて、マーキングユニットは、インクジェット画像マーキングエンジンと電子写真式画像マーキングエンジンのうちの少なくとも１つを含む。
【００１７】
手前の段落に従ったプリンティングシステムにおいて、マーキングユニットは、インクジェットマーキングエンジンからの液体インクを乾燥するかまたは硬化させるための乾燥ユニットと、電子写真式画像マーキングエンジンからのトナーを定着させるためのフューザのうちの少なくとも１つを含む。
【００１８】
手前の４つの段落のうちのいずれかに従ったプリンティングシステムは、さらに、運搬経路の合流部分に沿って配置される静電吸着デバイスを包含し、当該静電吸着デバイスは、長尺シート媒体とカットシート媒体の間において静電結合を生成する機能をもたらす。
【００１９】
手前の段落に従ったプリンティングシステムは、さらに、運搬経路の分離部分に沿って配置される静電剥離デバイスを包含し、当該静電剥離デバイスは、長尺シート媒体とカットシート媒体の間における静電結合を消散させる機能をもたらす。
【００２０】
手前の６つの段落のうちのいずれかに従ったプリンティングシステムにおいて、マーキングユニットは、マーキングユニットに沿って機能的に配置される間、長尺シート媒体とカットシート媒体を係合させ、かつ互いに対して実質的に固定された相対位置に維持する機能をもたらす複数のスターホイールおよびローラアセンブリを含む。
【００２１】
複数シートドキュメントをプリントする方法が、長尺シート媒体と、ある量のプレカットシート媒体とを提供することを含む。この方法は、当該ある量のプレカットシート媒体のうちの１つまたは複数を長尺シート媒体に沿って位置決めすることも含む。この方法はさらに、長尺シート媒体をプレカットシート媒体とともにプリンティングシステムを通して移動させ、それによってマークされたプレカットシート媒体と長尺シート媒体のマークされた部分を生成することを含む。この方法はまた、マークされたプレカットシート媒体を長尺シート媒体から分離することも含む。この方法は、さらに、長尺シート媒体の少なくともマークされた部分をマークされた媒体の個別のシートに裁断することを含む。この方法は、さらに、マークされたプレカットシート媒体とマークされた媒体の個別のシートとを複数シートドキュメントに収集することを含む。
【００２２】
手前の段落に従った方法において、前記収集する動作は、１つまたは複数の前記マークされたプレカットシート媒体を、前記１つまたは複数のマークされたプレカットシート媒体を前記マークされた媒体の個別のシートとともに綴じ込む前に遅延させることを含む。
【００２３】
手前の２つの段落のうちのいずれかに従った方法において、前記生成する動作は、前記長尺シート媒体のマークされていない部分を生成することを含み、前記裁断する動作は、前記長尺シート媒体のマークされていない部分をマークされていない媒体の個別のシートに裁断することを含む。
【００２４】
手前の段落に従った方法において、前記収集する動作は、前記マークされていない媒体の個別のシートを、前記マークされたプレカットシート媒体と前記マークされた媒体の個別のシートから分けて収集することを含む。
【００２５】
手前の４つの段落のうちのいずれかに従った方法のいずれかに従った方法は、さらに、前記長尺シート媒体と前記プレカットシート媒体のうちの少なくとも１つを、前記裁断する動作に先行して、前記長尺シート媒体と前記プレカットシート媒体のうちの前記少なくとも１つの反対の表面が露出されるように反転し、前記長尺シート媒体と前記プレカットシート媒体のうちの前記少なくとも１つの少なくとも前記反対の表面を、プリンティングシステムを通して移動させ、それによってその上にマークされる画像を生成することを包含する。
【００２６】
上記の段落に従った方法において、前記反転させる動作は、前記長尺シート媒体と前記プレカットシート媒体の両方を反転させ、前記反転されたプレカットシート媒体を前記反転された長尺シート媒体に沿って、それらのマークされていない表面が同じ方向を向くように位置決めすることを含む。
【図面の簡単な説明】
【００２７】
【図１】連続供給媒体およびプレカットシート媒体の上にマークすることが可能なプリンティングシステムの１つの実施態様を表した概略図である。
【図２】マークされたプレカットシート媒体とともに示したマークされた部分およびマークされていない部分を伴う長尺シート媒体の平面図である。
【図３】連続供給媒体およびカットシート媒体の上に両面マークすることが可能なプリンティングシステムの別の実施態様を表した概略図である。
【図４】連続供給媒体およびカットシート媒体の上にマークする１つの例示的な方法を図式表現した図である。
【発明を実施するための形態】
【００２８】
ここで使用されるところの用語「プリント」、「プリンティング」、「マーク」、および「マーキング」は、たとえばインクジェットまたは電子写真プロセス等の任意のプロセスによってテキスト、画像、グラフィクス、および／または別の任意の表示が上に形成されたシート媒体の生産および／または出力に関する任意の作用またはプロセスを包含するべく広く解釈されるものとする。ここで使用されるところの用語「プリンタ」および「プリンティングシステム」は、「プリンティング」作用を実行することが可能な任意のデバイス、装置、またはシステムを包含するべく広く解釈されるものとする。
【００２９】
図１は、実質的に連続する長尺シート媒体ＬＳＭをプリンティングシステムに供給する機能をもたらす第１のシート媒体源１０２を含むプリンティングシステム１００を略図的に図解する。認識されることになろうが、第１のシート媒体源１０２は、ロールＲＬＬの形式等の任意の適切な形式または態様で長尺シート媒体を供給することが可能である。
【００３０】
プリンティングシステム１００は、また、長尺シート媒体ＬＳＭに沿って機能的に配置された、テキスト、画像、グラフィクス、および／または任意の別の表示をそれに沿ってマークするためのプリンティングまたはマーキングユニット１０４も含む。マーキングユニット１０４は、従来的なＣＭＹＫカラーマーキングスキームに対応するマーキングシステム１０６Ｃ、１０６Ｍ、１０６Ｙ、および１０６Ｋを含むことが可能である。マーキングユニット１０４がオプションとしてフューザ１０８を含むことが可能であるか、または何らかのタイプのマーキング物質の定着に適した別のデバイスがシート媒体に対して使用される。
【００３１】
長尺シート媒体ＬＳＭは、マーキングユニット１０４を通って延び、長尺シート媒体の裁断、切断、または別の形の分離を行って個別のカットシート媒体にするための裁断ユニット１１０に至り、その後それらの丁合を適切な仕上げユニット１１２によって行うことができる。裁断ユニット１１０は、長尺シート媒体ＬＳＭに沿って機能的に配置されており、長尺シート媒体の選択的な裁断、切断、または別の形の分離を行って個別のカットシート媒体ＣＳＭ１、ＣＳＭ２、およびＣＳＭ３にする機能をもたらす裁断システム１１４を含む。裁断ユニット１１０は、また、プリンティングシステムを通って長尺シート媒体を搬送するための１つまたは複数の媒体搬送デバイスおよび／または要素も含む。たとえば、駆動ロールニップ（間隙）１１５が、長尺シート媒体上の張力を維持するため、および／または裁断システムを通ってそれを推進させるために長尺シート媒体ＬＳＭに沿って機能的に配置されるとして示されている。仕上げユニット１１２は、カットされたシート媒体のスタックＳＴＫ１を受け、支持するように構成された収集トレイ１１６を含む。
【００３２】
媒体運搬経路１１８は、第１のシート媒体源１０２から仕上げユニット１１２に延びており、長尺シート媒体ＬＳＭ、およびそれらから形成された個別のシート媒体をプリンティングシステム１００の少なくとも一部に沿って支持し、搬送するために適する。媒体運搬経路の第１の部分１１８Ａは、裁断ユニット１１０および仕上げユニット１１２を機能的に接続し、それらの間における個別のシート媒体の運搬に適する。媒体運搬経路の第２の部分１１８Ｂは、オプションとして裁断ユニット１１０から、カットされたシート媒体のスタックＳＴＫ２を受け、支持するように構成された収集トレイ１２０に延びることができる。多数の駆動ロールニップＤＲＮが、媒体運搬経路の第１および第２の部分１１８Ａおよび１１８Ｂに沿って機能的に配置されるとして示されている。
【００３３】
プリンティングシステム１００は、また、プレカットシート媒体を蓄え、運搬経路内に選択的に繰り出し、または別の形の導入を行う機能をもたらす少なくとも１つの追加の媒体源も含む。示されている例においては、第２のシート媒体源１２２が、プレカットシート媒体のスタックＳＴＫ３から個別のシート媒体を逐次出力するための供給トレイ１２４および供給システム１２６を含む。
【００３４】
プリンティングシステム１００は、さらに、マーキングユニット１０４の対向する側に長尺シート媒体ＬＳＭに沿って機能的に配置された合流ユニット１２８および分離ユニット１３０を含む。合流ユニット１２８は、第３の部分１１８Ｃによって第２の媒体源１２２からプレカットシート媒体ＣＳＭ４を受け取り、かつ当該プレカットシート媒体を長尺シート媒体ＬＳＭに沿って接触させて位置決めするように構成されている。この態様においては、図１のプレカットシート媒体ＣＳＭ５によって図解されるとおり、プレカットシート媒体を、長尺シート媒体ＬＳＭとともに、かつそれに対して実質的に固定された位置でマーキングユニット（たとえばマーキングユニット１０４）を通って運搬することが可能になる。
【００３５】
長尺シート媒体ＬＳＭは、対向する側または表面ＦＳＬおよびＳＳＬを有し、プレカットシート媒体のそれぞれもまた、プレカットシート媒体ＣＳＭ６の対向する側または表面ＦＳＣおよびＳＳＣを有することになる。合流ユニット１２８は、プレカットシート媒体および長尺シート媒体を互いに対して、それらの向かい合う側が互いに接触係合するように導入する機能をもたらす。
【００３６】
分離ユニット１３０は、プレカットシート媒体を長尺シート媒体との随伴から分離するように構成されている。長尺シート媒体ＬＳＭは、長尺シート媒体からのプレカットシート媒体の分離を補助するべく、ローラ要素１３１によって形成される比較的鋭い曲がり（すなわち、比較的小さい半径を有する湾曲された経路）の周囲に導くことができる。分離時にプレカットシート媒体は、別の部分１１８Ｄにより、仕上げユニット１１２に向けて導かれる。プリンティングシステム１００は、オプションとして、１つまたは複数のプレカットシート媒体ＣＳＭ７を受け取り、保持するためのバッファリングユニット１３２を含むことができる。
【００３７】
動作においては長尺シート媒体ＬＳＭが、シート媒体源（たとえば、第１のシート媒体源１０２）から１つまたは複数の画像マーキングエンジン（たとえば、マーキングユニット１０４のマーキングシステム１０６Ｃ、１０６Ｍ、１０６Ｙ、および１０６Ｋ）に沿って機能的に延びる。
【００３８】
長尺シート媒体ＬＳＭは、伸延された（つまり、長さ方向の）長さの長尺シート媒体に沿って連続する画像が生成されるように、実質的に連続する態様でプリンティングシステムを通って移動する。図２には、長尺シート媒体ＬＳＭが、それの第１の表面ＦＳＬに形成される参照文字Ｍ１、Ｍ２、Ｍ４、Ｍ５、Ｍ６、およびＭ８によって代表された複数の画像を含むとして示されている。
【００３９】
長尺シート媒体は、１つまたは複数の画像マーキングエンジンから、長尺シート媒体を個別のシート媒体ＣＳＭ１、ＣＳＭ２、およびＣＳＭ３に裁断、分離するための裁断ユニット１１０に向かって移動を続ける。個別のシート媒体は、媒体運搬経路の部分１１８Ａまたは１１８Ｂによって仕上げユニット１１２および収集トレイ１２０に引き渡される。
【００４０】
以前に述べたとおり、特定のドキュメントまたはプリントジョブが、それの１つまたは複数のページが、当該ドキュメントの、たとえば長尺シート媒体ＬＳＭからプリントできる別のページと異なる性質および／または特性を有するシート媒体上にプリントされることを要求することがある。その種の状況に取り組む１つの態様は、個別のプレカットシート媒体（たとえばプレカットシート媒体ＣＳＭ４）を、たとえばプレカットシート媒体のスタックＳＴＫ３から繰り出すように構成された１つまたは複数の追加のシート媒体源（たとえば第２のシート媒体源１２２）を含む、本開示に従ったプリンティングシステム、たとえばプリンティングシステム１００等を利用することである。その種の場合においては、長尺シート媒体のそれとは異なる性質および／または特性を有するプレカットシート媒体を供給することが可能である。個別のプレカットシート媒体（たとえば、プレカットシート媒体ＣＳＭ４）は、たとえば媒体運搬経路の部分（たとえば、部分１１８Ｃ）に沿って長尺シート材料に向けて導かれる。
【００４１】
プレカットシート媒体は、その後、適切なシステムまたはデバイス（たとえば合流ユニット１２８）によって選択的に導入され、長尺シート媒体に沿って接触係合する。たとえば、図２に示されるとおり、プレカットシート媒体ＣＳＭ６を、それの前縁ＬＤＧ１がカットシート媒体ＣＳＭ２の後縁ＴＤＧ１となるエリアに、またはそれに沿って位置決めされるように長尺シート媒体ＬＳＭに沿って位置決めすることができる。プレカットシート媒体ＣＳＭ６の後縁ＴＤＧ２もまた、次のカットシート媒体（たとえば、カットシート媒体ＣＳＭ８）の前縁ＬＤＧ２になる近隣のエリア内に収まるか、またはそれを少なくとも部分的に画定することになる。
【００４２】
プレカットシート媒体ＣＳＭ５は、転写ニップ１３４および／または静電吸着デバイス１３６を使用することによって長尺シート媒体上またはそれに沿う適正位置に保持できる。
【００４３】
プレカットシート媒体が長尺シート媒体上またはそれに沿う適正位置に保持されると、プレカットシートまたは媒体および長尺シート媒体は、ともに、１つまたは複数の画像マーキングエンジンを通って、または別の形で機能的にそれらに沿って移動し、その結果、画像Ｍ１、Ｍ２、Ｍ４、Ｍ５、Ｍ６、およびＭ８が長尺シート媒体の個別の部分上にプリントされることをはじめ、それぞれが図２のプレカットシート媒体ＣＳＭ６およびＣＳＭ５上の参照文字Ｍ３およびＭ７によって示されるとおり、プレカットシート媒体上にプリントされることが可能になる。したがって、長尺シート媒体ＬＳＭは、図２の画像Ｍ１、Ｍ２、Ｍ４、Ｍ５、Ｍ６、およびＭ８を有するシートセクションによって表された１つまたは複数のマークされた部分、およびプレカットシート媒体ＣＳＭ５およびＣＳＭ６の下に配置されるか、または別の形でそれらによって覆われるとして示された１つまたは複数のマークされない部分ＵＭ１を有する結果となる。示されている例示的な場合においては、マークされない部分ＵＭ１が、カットシート媒体ＣＳＭ３となることが可能であり、したがってそれによって表されている。
【００４４】
プレカットシート媒体が、１つまたは複数の画像マーキングエンジンをはじめ、それの上にマークされた物質を定着させるためのフューザ１０８を超えて移動すると、たとえば図１および２のプレカットシート媒体ＣＳＭ６によって表されているように、長尺シート媒体との接触から分離されるか、または別の形で取り外される。オプションとして静電剥離デバイス１３８を、プレカットシート媒体と長尺シート材料の間における静電結合を消散させるために使用することが可能である。
【００４５】
長尺シート媒体および、それの上に位置決めされることがある１つまたは複数のプレカットシート媒体は、逐次的に、またはあらかじめ決定されたプリント順序で、たとえばドキュメントの最初から最後のページまでマークできる。その種の場合には、ドキュメントのほとんどのページを順序に従って、性質および／または特性が当該長尺シート媒体とは異なるプレカットシート媒体上にプリントされるいくつかの介在するページとともに長尺シート媒体上にプリントすることができる。所望の順序またはあらかじめ決定済みの順序にシート媒体を維持することを補助するために、分離ユニット１３０と仕上げユニット１１２の間においてシート収納デバイスバッファリングユニット１３２を機能的に配置することが可能である。
【００４６】
長尺シート材料は、そこからプレカットシート媒体が分離された後、個別のシート媒体ＣＳＭ１、ＣＳＭ２、およびＣＳＭ３に裁断するための適切なシステムまたはデバイス（たとえば、裁断ユニット１１０の裁断システム１１４）に引き続き移動するが、それらのうちの少なくともいくつかには画像がマークされ、プリント中の特定のドキュメントのページを表す。上に画像がマークされているか、または別の形でプリント中の特定のドキュメントのページを表すことができるこれらの個別のシート媒体は、その後、仕上げユニット１１２に運搬される。これらのシート媒体は、おおむねプリントと同じ順序になり、シート受け取りシステムまたはデバイスによって単純にスタックされるか、別の形で編纂される。その後のドキュメントの別のページとの再結合のためにバッファリングユニット１３２内に蓄えられることがあるプレカットシート媒体（たとえば、プレカットシート媒体ＣＳＭ７）は、合流ユニット１４０を使用し、シート受け取りシステムまたはデバイス内へのシート媒体のフローの中に選択的に再導入することが可能である。
【００４７】
長尺シート媒体を個別のシート媒体に裁断することによって生成された個別のシート媒体のうちの特定のもの（たとえば、カットシート媒体ＣＳＭ３）は、プリント中の特定のドキュメントの部分を形成しない、マークされていない長尺シート媒体の部分となることになる。これらの個別のシート媒体は、１つまたは複数のマーキング動作の間にプレカットシート媒体を支持していた長尺シート媒体の部分を表す。これらのマークされていない個別のシート媒体は、プリント中のドキュメントのページとともにスタックされない。それに代えてこれらのマークされていない個別のシート媒体は、収集トレイ１２０に向けることができる。
【００４８】
プリンティングシステム１００はまた、プリンティングシステムのユニット、システム、および／またはデバイスのうちの１つまたは複数と、それの選択的動作および／またはコントロールのために、通信ライン１４４を経由して通信するコントロールシステム１４２も含む。
【００４９】
コントロールシステム１４２は、第１のシート媒体源１０２、マーキングユニット１０４、裁断ユニット１１０、仕上げユニット１１２、第２の媒体源１２２、合流ユニット１２８、分離ユニット１３０、およびバッファリングユニット１３２と通信するコントローラ１４６を含む。コントロールシステム１４２は、オプションとしてデータストレージデバイス１４８、入力インターフェース１５０、および／または通信インターフェース１５２を含むことができる。入力インターフェース１５０および通信インターフェース１５２のうちのいずれかまたは両方は、プリンティングシステムへのプリントジョブ（たとえば、入力されたドキュメント）の通信、生成、受信、入力、または別の形の提供に使用することが可能である。入力インターフェース１５０は、自動ドキュメント供給デバイス１５６をオプションとして含むことができるオプションのラスタ出力スキャニングシステム１５４と通信することができる。入力インターフェース１５０は、オプションのメモリデバイスリーダ１５８と通信することが可能である。
【００５０】
プリントジョブは、スタンドアロンコンピュータ１６０から、および／またはコンピュータネットワーク１６４経由でコンピュータワークステーション１６２からというように、オプションとして、通信インターフェース１５２を通じてプリンティングシステムに転送するか、または別の形で送信することが可能である。
【００５１】
ユーザまたはオペレータにテキスト、グラフィクス、データ、値、および／または情報を伝えるためのグラフィカルプログラミングウインドウを出力するディスプレイ１６６が備えられる。加えてユーザインターフェースが、たとえばキーボード（図示せず）、ポインティングデバイス（図示せず）、または、１つの好ましい実施態様においては、ディスプレイ１６６上のタッチスクリーン入力等からのテキスト、グラフィクス、データ、値、および／または情報のユーザ入力のために適合される。
【００５２】
コントロールシステム１４２は、たとえば入力インターフェース１５０および／または通信インターフェース１５２経由等でプリンティングシステム１００に伝達されるデータ、情報、信号、および／またはプリントジョブに関係する通信の受信、処理、ストア、および／または別の形の転送が可能なプリントジョブ受信モジュール１６８をオプションとして含むことができる。プリントジョブは、通信インターフェース１５２を経由して受信可能であり、シート媒体のうちの１つまたは複数の上に生成されることになるマーキングを表す画像データ１７０を含むことができる。その種のプリントジョブは、たとえば当該プリントジョブの異なるページのために使用されるべきシート媒体のサイズおよびタイプ、生成されるべきドキュメントの複製の数、および／または所望の実行されるべき仕上げ動作といったプリントジョブの特性を表すシート媒体データ１７２も含むことができる。
【００５３】
コントロールシステム１４２は、プリンティングシステム１００を通って移動する長尺シート媒体ＬＳＭの供給レートを選択的にコントロールする機能をもたらす。加えてコントロールシステムは、プリンティングシステムにプレカットシート媒体ＣＳＭ４を選択的に繰り出す機能をもたらす。コントロールシステム１４２は、プリンティングシステムへの長尺シート媒体の供給と関係を有する通信データ、情報、信号、および／またはインストラクション（たとえば、開始、停止、および／または供給レート）を送信できるシート媒体コントロールモジュール１７４を含む。加えてシート媒体コントロールモジュール１７４は、プリンティングシステムへのプレカットシート媒体の繰り出しと関係を有する通信データ、情報、信号、および／またはインストラクションを送信できる。
【００５４】
コントロールシステム１４２は、また、たとえば長尺シート媒体を搬送する媒体運搬の部分へのプレカットシート媒体の導入および分離と関係を有するデータ、情報、信号、および／またはインストラクションを通信することができる合流および分離モジュール１７６の使用によって、長尺シート媒体上へのプレカットシート媒体ＣＳＭ４の導入の選択的なコントロールをはじめ、長尺シート媒体からのその種のプレカットシート媒体の分離の選択的なコントロールの機能ももたらす。
【００５５】
またコントロールシステム１４２は、マーキングユニット１０４の１つまたは複数の画像マーキングエンジン１０６Ｃ、１０６Ｍ、１０６Ｙ、および１０６Ｋを、長尺シート媒体およびプレカットシート媒体が当該１つまたは複数の画像マーキングエンジンを機能的に通って、または別の形で機能的にそれらに沿って搬送されるときに、それらの上に画像をプリントするために選択的にコントロールするように構成されることも可能である。コントロールシステム１４２は、長尺シート媒体の対応する部分またはプレカットシート媒体上への、たとえばあらかじめ決定済みの順序で、または順番に画像をプリントすることと関係を有するデータ、情報、信号、および／またはインストラクションを通信することができるマーキングモジュール１７８を含む。１つの例として、マーキングモジュール１７８は、画像データ１７０を使用し、１つまたは複数のマーキングエンジンによる画像の生成を選択的にコントロールできる。
【００５６】
コントロールシステム１４２は、個別のシート媒体ＣＳＭ１、ＣＳＭ２、およびＣＳＭ３への長尺シート媒体の裁断または分離を、またオプションとしてこれらの個別のシート媒体のうちの選択されたものの仕上げユニット１１２および収集トレイ１２０への分配を選択的にコントロールするように構成できる。コントロールシステム１４２は、個別のシート媒体への長尺シート媒体の裁断をはじめ、個別のシート媒体のソーティングまたは１つまたは複数のシート受け取りシステムまたはデバイスへの分配と関係を有するデータ、情報、信号、および／またはインストラクションを通信することができる裁断および分配モジュール１８０を含む。
【００５７】
コントロールシステム１４２は、また、たとえばプリント中の特定のドキュメントによって定義されるようなあらかじめ決定済みの順序または順番で個別のシートとともにカットシート媒体の１つまたは複数のスタックを生成するために、１つまたは複数の合流および／またはシート受け取りシステム（たとえば、合流ユニット１４０および仕上げユニット１１２）を選択的に動作させる機能ももたらす。コントロールシステム１４２は、特定のドキュメントのページへのカットシート媒体の選択的な分配、合流、および／または編纂、たとえば長尺シート媒体から形成された個別のシート媒体ＣＳＭ１およびＣＳＭ２の流れの中にプレカットシート媒体ＣＳＭ７を差し込むといった選択的なコントロールと関係を有するデータ、情報、信号、および／またはインストラクションを通信することができる編纂モジュール１８２を含む。
【００５８】
図１に示されている実施態様において、コントローラ１４６は、マイクロプロセッサ１８４および図１内ではボックス１８６Ａおよび１８６Ｂによって表されているストレージデバイスまたはメモリを含む。示されている実施態様においては、モジュール１６８、１７４、１７６、１７８、１８０および１８２が、メモリ１８６Ａおよび１８６Ｂ内にストアされたソフトウエアとして実装される。したがって、マイクロプロセッサ１８４は、メモリストレージ１８６Ａおよび１８６Ｂにアクセスし、たとえばモジュール１６８、１７４、１７６、１７８、１８０および１８２等の任意の１つまたは複数のソフトウエアモジュールを検索し、実行することができる。加えて、たとえばデータ１７０および１７２等のデータ、値、セッティング、パラメータ、入力、ソフトウエア、アルゴリズム、ルーチン、プログラム、および／または別の情報または内容もまた、マイクロプロセッサ１８４による検索のためにメモリ１８６Ａおよび１８６Ｂ内に保持できる。認識されることになろうが、その種のソフトウエアルーチンは、個別の実行可能ルーチンまたは、たとえばオペレーティングシステム等のソフトウエアプログラムの部分とすることが可能である。
【００５９】
図３は、プレカットシート媒体とともに長尺シート媒体上に、またはそれに沿って画像をマークするように構成された別の例のプリンティングシステム２００を図解している。プリンティングシステム２００は、プリンティングシステム１００に関連して前述したものと同じユニット、システム、および／またはデバイスの多くを含み、かつ同じ動作原理の多くに従って動作する。しかしながら、プリンティングシステム２００は、プリンティングシステム２００が長尺シート媒体およびプレカットシート媒体の両面プリントに適合されているという点においてプリンティングシステム１００とは異なる。
【００６０】
プリンティングシステム２００は、たとえばロールＲＬＬからプリンティングシステムに、たとえば駆動ロールニップＤＲＮ等の媒体搬送デバイスを含むことが可能な媒体運搬経路２０４に沿って長尺シート媒体ＬＳＭを繰り出すように構成された第１のシート媒体源２０２を含む。第２のシート媒体源２０６は、プレカットシートまたは媒体ＣＳＭ１０によって示されるとおり、適切なシート供給システムまたはデバイス２１０を使用して供給トレイ２０８内にあるスタックＳＴＫから媒体運搬経路の部分２０４Ａにプレカットシート媒体を選択的に繰り出すように構成されている。プレカットシート媒体は、第１の合流ユニットによって受け取られる。オプションとして、この第１の合流ユニットは、静電吸着デバイス２１４を含むことができる。
【００６１】
プリンティングシステム２００は、長尺シート媒体ＬＳＭに沿って機能的な関係で配置される、マーキングシステム２１８Ｃ、２１８Ｍ、２１８Ｙ、および２１８Ｋを含む第１のマーキングユニット２１６も含む。プレカットシート媒体ＣＳＭ１１等のプレカットシート媒体は、スターホイールおよびローラアセンブリ２２０を単独で、または別の適切な構成、たとえば静電吸着等とともに使用し、長尺シート媒体ＬＳＭに沿った位置に実質的に固定して維持することができる。第１のマーキングユニット２１６は、媒体運搬経路に沿って機能的に配置される乾燥または硬化ユニット２２２をオプションとして含むこともできる。
【００６２】
プリンティングシステム２００は、第１の分離ユニット２２４または長尺シート媒体からプレカットシート媒体（たとえば、プレカットシート媒体ＣＳＭ１２）を分離するための別のデバイスも含むとして示されている。第１の分離ユニット２２４は、オプションとして、長尺シート媒体とプレカットシート媒体の間における静電結合を消散させるための静電剥離デバイス２２６を含むことができる。第１の分離ユニット２２４は、また、プレカットシート媒体がさらに下流に、たとえば第２の合流ユニット２３０に向かう媒体運搬経路の部分２０４Ｃに沿って導かれるときに、それの対向する表面または側が反対の方向に配置（たとえば、上端と下端）されるように、プレカットシート媒体ＣＳＭ１３の向きを変更するための反転ユニット２２８等の適切なシート反転システムまたはデバイスにプレカットシート媒体を搬送する機能をもたらす媒体運搬経路の部分２０４Ｂとも機能的に関連付けされる。
【００６３】
プリンティングシステム２００は、長尺シートが媒体運搬経路に沿ってさらに下流に搬送されるとき、それの対向する表面または側が反対の方向を向く（たとえば、上端と下端）ように、たとえば返しバー２３２によって長尺シート媒体ＬＳＭを反転するためのシステムまたはデバイスも含む。ここで反転された長尺シート媒体およびここで反転されたプレカットシート媒体、たとえばプレカットシート媒体ＣＳＭ１４は、その先のマーキング動作（すなわち、両面マーキング動作）をそれらの上に実行することが可能となるように互いに合流させるか、または別の形で再導入することができる。
ここで反転および再合流がなされた長尺シート媒体およびプレカットシート媒体は、さらに第２のマーキングユニット２３４に向かう媒体運搬経路に沿って下流に搬送できる。第２のマーキングユニットは、第１のマーキングユニット２１６と実質的に類似であり、これもまた任意の適切な数の１つまたは複数の画像マーキングエンジン２３６Ｃ、２３６Ｍ、２３６Ｙ、および２３６Ｋを含むことができる。
【００６４】
プレカットシート媒体ＣＳＭ１５は、スターホイールおよびローラアセンブリ２３８を単独で、または静電吸着とともに使用して、長尺シート媒体ＬＳＭに沿った位置に実質的に固定して維持することができる。適切な乾燥ユニット２４０を、オプションとして、媒体運搬経路に沿って機能的に配置することができる。第２のマーキングユニット２３４を出ると長尺シート媒体およびプレカットシート媒体が第２の分離ユニット２４２に到達し、そこでプレカットシート媒体が長尺シート媒体から分離され、プレカットシート媒体ＣＳＭ１６によって示されるとおり、媒体運搬経路の部分２０４Ｄに沿って導くことができる。
【００６５】
長尺シート媒体から分離された後は、プレカットシート媒体ＣＳＭ１７を、収集トレイ２４８を有する仕上げユニット２４６に引き渡す前に、バッファリングユニット２４４内に一時的に保持できる。長尺シート媒体ＬＳＭは、下流の、長尺シート媒体を個別のシート媒体ＣＳＭ１８およびＣＳＭ１９に裁断するか、または別の形の分離を行うための裁断ユニット２５０に搬送される。個別のシート媒体は、裁断ユニットから媒体運搬経路の部分２０４Ｅを経由して仕上げユニット２４６に、または媒体運搬経路の部分２０４Ｆを経由して収集トレイ２５２に向けて搬送することができる。
【００６６】
好ましくは、図３に符合点Ａによって表されるとおり、プリンティングシステム２００が、長尺シート媒体を任意のプレカットシート媒体とともに第２の合流ユニットから第２のマーキングユニット内へ直接搬送すること、または別の形で輸送することが可能な単一の連続プリンティングシステムの形式を取る。
【００６７】
図４は、複数シートドキュメントをプリントする一例の方法３００を図解しており、ボックス３０２によって示されるとおり、長尺シート媒体を提供する動作を含む。方法３００は、ボックス３０４によって示されるとおり、ある量のプレカットシート媒体を提供する動作も含む。さらに方法３００は、ボックス３０６によって示されるとおり、長尺シート媒体の上またはそれに沿ってプレカットシート媒体を合流させるか、または別の形の位置決めを行う動作も含む。
【００６８】
また方法３００は、ボックス３０８によって示されるとおり、プレカットシート媒体の表面をはじめ長尺シート媒体の部分の上に画像をマーキングする動作も含む。方法３００は、さらにボックス３１０によって示されるとおり、プレカットシート媒体を長尺シート媒体から分離することも含む。方法３００はまた、ボックス３１２によって示されるとおり、長尺シート媒体を個別のシート媒体に裁断する動作を含むとして示されている。方法３００は、さらにボックス３１４によって示されるとおり、プレカットシート媒体および長尺シート媒体から生成された個別のシート媒体を収集する動作を含む。
【符号の説明】
【００６９】
１００  プリンティングシステム、１０２  第１のシート媒体源、１０４  マーキングユニット、１０６Ｃ  マーキングシステム、１０６Ｋ  マーキングシステム、１０６Ｍ  マーキングシステム、１０６Ｙ  マーキングシステム、１０８  フューザ、１１０  裁断ユニット、１１２  仕上げユニット、１１４  裁断システム、１１５  駆動ロール間隙、１１６  収集トレイ、１１８  媒体運搬経路、１１８Ａ  媒体運搬経路の第１の部分、１１８Ｂ  媒体運搬経路の第２の部分、１１８Ｃ  第３の部分、１１８Ｄ  部分、１２０  収集トレイ、１２２  第２のシート媒体源、第２の媒体源、１２４  供給トレイ、１２６  供給システム、１２８  合流ユニット、１３０  分離ユニット、１３１  ローラ要素、１３２  バッファリングユニット、シート収納デバイスバッファリングユニット、１３４  転写間隙、１３６  静電吸着デバイス、１４０  合流ユニット、１４２  コントロールシステム、１４４  通信ライン、１４６  コントローラ、１４８  データストレージデバイス、１５０  入力インターフェース、１５２  通信インターフェース、１５４  ラスタ出力スキャニングシステム、１５６  自動ドキュメント供給デバイス、１５８  メモリデバイスリーダ、１６０  スタンドアロンコンピュータ、１６２  コンピュータワークステーション、１６４  コンピュータネットワーク、１６６  ディスプレイ、１６８  プリントジョブ受信モジュール、１７０  画像データ、１７２  シート媒体データ、１７４  シート媒体コントロールモジュール、１７６  合流および分離モジュール、１７８  マーキングモジュール、１８０  裁断および分配モジュール、１８２  編纂モジュール、１８４  マイクロプロセッサ、１８６Ａ  ボックス、メモリ、１８６Ｂ  ボックス、メモリ、２００  プリンティングシステム、２０２  第１のシート媒体源、２０４  媒体運搬経路、２０４Ａ  媒体運搬経路の部分、２０４Ｂ  媒体運搬経路の部分、２０４Ｃ  媒体運搬経路の部分、２０４Ｄ  媒体運搬経路の部分、２０４Ｅ  媒体運搬経路の部分、２０４Ｆ  媒体運搬経路の部分、２０６  第２のシート媒体源、２０８  供給トレイ、２１０  シート供給システム、シート供給デバイス、２１６  第１のマーキングユニット、２１８Ｃ  マーキングシステム、２１８Ｋ  マーキングシステム、２１８Ｍ  マーキングシステム、２１８Ｙ  マーキングシステム、２２０  スターホイールおよびローラアセンブリ、２２２  乾燥または硬化ユニット、２２４  第１の分離ユニット、２２６  静電剥離デバイス、２２８  反転ユニット、２３０  第２の合流ユニット、２３２  返しバー、２３４  第２のマーキングユニット、２３６Ｃ  マーキングエンジン、２３６Ｋ  マーキングエンジン、２３６Ｍ  マーキングエンジン、２３６Ｙ  マーキングエンジン、２３８  スターホイールおよびローラアセンブリ、２４０  乾燥ユニット、２４２  第２の分離ユニット、２４４  バッファリングユニット、２４６  仕上げユニット、２４８  収集トレイ、２５０  裁断ユニット、２５２  収集トレイ、ＣＳＭ１  シート媒体、ＣＳＭ１０  プレ？カットシートまたは媒体、ＣＳＭ１１  プレ？カットシート媒体、ＣＳＭ１２  プレ？カットシート媒体、ＣＳＭ１３  プレ？カットシート媒体、ＣＳＭ１４  プレ？カットシート媒体、ＣＳＭ１５  プレ？カットシート媒体、ＣＳＭ１６  プレ？カットシート媒体、ＣＳＭ１７  プレ？カットシート媒体、ＣＳＭ１８  個別のシート媒体、ＣＳＭ１９  個別のシート媒体、ＣＳＭ２  カットシート媒体、ＣＳＭ３  カットシート媒体、ＣＳＭ４  プレ？カットシート媒体、ＣＳＭ５  プレ？カットシート媒体、ＣＳＭ６  プレ？カットシート媒体、ＣＳＭ７  プレ？カットシート媒体、ＣＳＭ８  カットシート媒体、ＤＲＮ  駆動ロール間隙、ＦＳＣ  表面、ＦＳＬ  表面、ＬＤＧ１  前縁、ＬＤＧ２  前縁、ＬＳＭ  長尺シート媒体、ＲＬＬ  ロール、ＳＳＣ  表面、ＳＳＬ  表面、ＳＴＫ  スタック、ＳＴＫ１  スタック、ＳＴＫ２  スタック、ＳＴＫ３  スタック、ＴＤＧ１  後縁、ＴＤＧ２  後縁、ＵＭ１  マークされない部分。
【図１】
0004956563.tif 000002
【図２】
0004956563.tif 000003
【図３】
0004956563.tif 000004
【図４】
0004956563.tif 000005